(57)【要約】【課題】適合光源以外の光源の誤使用を防止することが可能なＥ形口金を備えたランプを光源とする照明器具を提供する。【解決手段】照明器具１０は、器具本体１１、ソケット１２、遮断部材１３を具備する。ソケット１２は、器具本体に設けられＥ形口金Ｃ１を備えた光源が装着される。遮断部材１３は、ソケットと電源Ｅとを接続する電路Ｒに設けられ、適合光源以外の光源がソケットに装着された際に電路を遮断する。【選択図】        図１
2013030290.tif 000002
【特許請求の範囲】
【請求項１】
器具本体と；
器具本体に設けられＥ形口金を備えた光源が装着されるソケットと；
ソケットと電源とを接続する電路に設けられ、適合光源以外の光源がソケットに装着された際に電路を遮断する遮断部材と；
を具備していることを特徴とする照明器具。
【請求項２】
前記遮断部材は、０．１〜０．３Ａの電流値で遮断する電流ヒューズで構成したことを特徴とする請求項１に記載の照明器具。
【請求項３】
前記遮断部材は、取付状態において露出しない位置に器具本体に設けられたことを特徴とする請求項１または２に記載の照明器具。
【発明の詳細な説明】
【技術分野】
【０００１】
本発明の実施形態は、Ｅ形口金付のランプが装着される照明器具に関する。
【背景技術】
【０００２】
この種のＥ形口金は、従来から白熱電球の口金として広く用いられ、これら白熱電球を光源とした各種の照明器具が構成されている。これら照明器具において、省エネや長寿命化等の観点から、消費電力が比較的大きい既存の白熱電球に替えて、発光部、点灯装置およびＥ形口金で構成された蛍光ランプ（一般的には電球形蛍光ランプと称される）が装着され使用されている。
【０００３】
また、さらなる省エネや長寿命化のために、より消費電力の少ない発光ダイオード（以下「ＬＥＤ」と称する）を光源とするＥ形口金で構成されたＬＥＤランプが、既存の照明器具に装着された白熱電球や電球形蛍光ランプに替えて使用されている。また、近年では、器具の設計段階から、これらＥ形口金で構成された電球形蛍光ランプやＬＥＤランプを装着するために設計された専用の照明器具が普及しつつある。
【先行技術文献】
【特許文献】
【０００４】
【特許文献１】特開２０１０−０９７８９０号公報
【特許文献２】特開２００１−０８４８０４号公報
【発明の概要】
【発明が解決しようとする課題】
【０００５】
これら専用の照明器具において、電球形蛍光ランプやＬＥＤランプは、白熱電球に比べて発熱量が少ないために器具本体の耐熱性を低くできる。このため、器具の小形化が可能になるとともに、使用する電線類等の構成部品における電流容量や熱的グレードを下げることが可能で、器具コストを低減することが可能になる。
【０００６】
しかしながら、電球形蛍光ランプやＬＥＤランプの口金は、白熱電球と同様にＥ形口金を用いているため、専用器具として構成した場合でも、既存の白熱電球が装着されてしまう恐れがある。白熱電球が装着されると点灯はするが、白熱電球は電球形蛍光ランプやＬＥＤランプに比べて消費電力が大きいために点灯時に流れる電流が多く発熱量が大きいため、器具本体の部品や電源電線の温度が設計温度より高くなり耐熱性に問題が生じる。
【０００７】
一方、白熱電球の外観形状によって装着ができないように器具を構成する手段もあるが、近年では、これら電球形蛍光ランプやＬＥＤランプは、ますます白熱電球に近似させた形状に構成されており、これらランプの外観形状の相違による装着規制を図ることが難しくなり、電球形蛍光ランプやＬＥＤランプの専用器具に対する白熱電球の誤使用を防止することが困難となっている。
【０００８】
本発明は、上記問題を解決するためになされたもので、適合光源以外の光源の誤使用を防止することが可能なＥ形口金を備えたランプを光源とする照明器具を提供しようとするものである。
【課題を解決するための手段】
【０００９】
実施形態の照明器具は、器具本体、ソケット、遮断部材を具備する。ソケットは、器具本体に設けられＥ形口金を備えた光源が装着される。遮断部材は、ソケットと電源とを接続する電路に設けられ、適合光源以外の光源がソケットに装着された際に電路を遮断する。
【発明の効果】
【００１０】
本発明によれば、適合光源とは異なる光源を使用しても、点灯を継続することを抑制できるので、器具の損傷を抑制することが可能なＥ形口金を備えたランプを光源とする照明器具を提供することができる。
【図面の簡単な説明】
【００１１】
【図１】本発明の実施形態に係る照明器具を示し、（ａ）は斜視図、（ｂ）は一部を切り欠いて示す断面図。
【図２】同じく照明器具の模式的な回路図。
【図３】同じく照明器具の端子台を示す断面図。
【図４】一般的に広く普及しているＥ形口金を有する白熱電球、電球形蛍光ランプおよびＬＥＤ電球における消費電力（電流値）と電流ヒューズの設定値の関係を示す図表。
【図５】本発明の実施形態に係る照明器具の変形例を示し、（ａ）は斜視図、（ｂ）は一部を切り欠いて示す断面図。
【発明を実施するための形態】
【００１２】
以下、照明器具の実施形態につき、図に従い説明する。
【００１３】
本実施形態は、電球形蛍光ランプ専用のブラケット形の照明器具として構成され、白熱電球の誤使用を防止するため、白熱電球が装着された場合には点灯しないように構成したものである。
【００１４】
照明器具１０は、図１〜図３に示すように、器具本体１１、器具本体に設けられＥ形口金Ｃ１を備えた電球形蛍光ランプＬ１が装着されるソケット１２、ソケットと電源Ｅとを接続する電路Ｒに設けられ、白熱電球Ｌ２がソケット１２に装着された際に電路Ｒを遮断する遮断部材１３で構成する。
【００１５】
器具本体１１は、図１に示すように、ベース体１１ａ、ベース体に着脱が可能になるように装着される本体カバー１１ｂを有する。ベース体１１ａは、裏面側にサポート１１ａ１が設けられ、表面側にフランジ１１ａ２が設けられ、フランジの略中央にソケット取付具１１ａ３が設けられている。これらサポート１１ａ１、フランジ１１ａ２およびソケット取付具１１ａ３は、それぞれ鋼板で構成され、特にランプを取り付けるためのフランジ１１ａ２は白色の塗装鋼板で構成されている。
【００１６】
本体カバー１１ｂは、裏面側および上下面が開放された略Ｕ字形状をなす形状に構成され、裏面側の開放部分がネジ等の固定手段によってベース体１１ａに着脱が可能になるように取り付けられる。本体カバー１１ｂは、白色の塗装鋼板で構成され、上下面の開口１１ｂ１、１１ｂ１から、設置された壁面Ｘの上下方向に向かって光を照射する間接照明を行うように構成されている。
【００１７】
ソケット１２は、図１（ｂ）、図２に示すように、絶縁ケース１２ａ、受金１２ｂ、センターコンタクト１２ｃを有している。絶縁ケース１２ａは、例えば、磁器等の電気絶縁材によって有底の円筒状をなす形状に構成され、円筒内面に受金１２ｂが設けられている。受金１２ｂは、導電性を有する金属、本実施形態では銅板によって内周面の全体にねじ山１２ｂ１を一体に形成した円筒状に構成する。円筒の内径寸法およびねじ山１２ｂ１のピッチは、Ｅ形口金Ｃ１がねじ込むことができるように構成する。本実施形態では、Ｅ２６形口金がねじ込むことができるように構成した。
【００１８】
センターコンタクト１２ｃは、所定の弾性を有し、導電性の良好な金属、本実施形態ではリン青銅板からなり、絶縁ケース１２ａの円筒の底部に、受金１２ｂと電気絶縁を図って設けられる。
【００１９】
上記に構成されたソケット１２は、その口金挿入口１２ｄが表面側に面するようにして、ベース体１１ａにおけるソケット取付具１１ａ３の略中央にネジ等の固定手段によって固定される。そして、ソケット１２の受金１２ｂに対してＥ形口金Ｃ１、本実施形態ではＥ２６形口金を有する電球形蛍光ランプＬ１が装着される。
【００２０】
遮断部材１３は、点灯時に一定の電流値を越えるＥ形口金を備えたランプ、すなわち、電球形蛍光ランプＬ１より消費電力が大で、点灯時に電球形蛍光ランプＬ１に流れる電流より大きな電流が流れる白熱電球Ｌ２がソケット１２に装着された際に、電路Ｒを遮断する過電流保護素子、本実施形態では、電球形蛍光ランプＬ１に流れる電流値より大きな電流値で電路Ｒを遮断する電流ヒューズで構成した。
【００２１】
遮断部材１３は、非復帰形で交換不可であることが安全上好ましい。例えば、手動で復帰させることが可能な復帰形の遮断部材または遮断部材１３を交換が可能な位置に設置した場合には、使用者が勝手に復帰または交換をしてしまい白熱電球の誤使用を防止することができない。このため、遮断部材１３は非復帰形で交換不可とする必要がある。交換不可とすることは、器具本体１１に、取付状態において露出しない位置に設置することによって容易にかつコスト的にも有利に実現することが可能になる。
【００２２】
取付状態において露出しない位置とは、例えば、セードを有する器具の場合、セード内であっても、取付具の裏側であっても構わないが、不用意に作業ができない位置であることが望ましい。
【００２３】
また、遮断部材１３は、通常の使用状態においても、確実に作用することが必要で耐熱性が必要となる。本実施形態においては、ヒューズケースが、約１００℃以上の耐熱性を有する電流ヒューズを用いた。また、器具本体１１への設置位置も、点灯時のランプ温度の影響を受け難くする必要からランプ下方に位置させることが好ましく、本実施形態では、器具設置状態でランプの下方に位置する端子台１４に設けることにより、電球形蛍光ランプＬ１の点灯時における温度の影響を受け難くして遮断動作の信頼性を高めた。
【００２４】
本実施形態の遮断部材である非復帰形の電流ヒューズ１３は、図２の模式的な回路図に示すように、ソケット１２と電源Ｅとを接続する電路Ｒの一方、若しくは両方に接続されている。そして、この電流ヒューズ１３は、器具本体１１に外側から目視できない位置に設けられる。本実施形態では、図１（ｂ）に示すように、ベース体１１ａのフランジ１１ａ２とサポート１１ａ１によって形成される空間部Ｓ１内で、フランジ１１ａ２の裏面側に取り付けられた端子台１４内に設けられている。これにより、電流ヒューズ１３は、目視することができず使用者が勝手に交換してしまうことを確実に防ぐことができる。
【００２５】
端子台１４は、図３に示すように、ＰＢＴ（ポリブチレンテレフタレート）等の電気絶縁性の良好な合成樹脂で構成され、電源Ｅに接続される電線ｗ１とソケット１２とを電線ｗ２で電気的に接続するための端子台で、ＳＬ（スクリューレス）端子１４ａ、１４ａを有して構成され、この端子台１４の裏面の空間部Ｓ２に電流ヒューズ１３が収容されている。これによって、電流ヒューズ１３は、器具本体１１の本体カバー１１ｂを取り外した状態でも、端子台１４の表面側およびフランジ１１ａ２によって覆い隠され、取付状態において露出しない位置、換言すれば、目視できないように器具本体１１に設けられる。
【００２６】
本実施形態において電流ヒューズ１３は、次のようにして遮断電流値を設定した。図４は、一般的に広く普及しているＥ形口金を有する白熱電球、電球形蛍光ランプおよびＬＥＤ電球における消費電力（電流値）と電流ヒューズ１３の設定値の関係を示す図表である。
【００２７】
この図から明らかなように、電路Ｒに０．３Ａの電流が流れると電路を遮断する電流ヒューズ１３Ａで構成した場合、Ｅ形口金を有する全ての電球形蛍光ランプおよびＬＥＤランプが装着されると電路を遮断せずに点灯させることができる。また、略全ての白熱電球が装着された場合に電路を遮断することができる。
【００２８】
また、電路Ｒに０．２Ａの電流が流れると電路を遮断する電流ヒューズ１３Ｂで構成すると、Ｅ形口金を有する略全ての電球形蛍光ランプおよび全てのＬＥＤランプが装着されると電路を遮断せずに点灯させることができる。また、全ての白熱電球が装着された場合に電路を遮断することができる。
【００２９】
また、電路Ｒに０．４Ａの電流が流れると電路を遮断する電流ヒューズ１３Ｃで構成すると、全ての電球形蛍光ランプおよびＬＥＤランプが装着された場合に、電路を遮断せずに点灯させることができる。また、一般的に最も広く普及しているＥ２６形口金を有する白熱電球が装着された場合に電路を遮断することができ実使用において、支障の少ない照明器具を構成することが可能になる。
【００３０】
なお、上記によれば、例えば、より消費電力の少ないＬＥＤランプ専用の器具として設計された照明器具であっても、電球形蛍光ランプが装着された場合に電路を遮断せずに点灯するが、その消費電力は略１０Ｗ以下であり、電球形蛍光ランプが装着された場合でも温度的な問題が発生する恐れはない。しかし、電路Ｒに０．１Ａの電流が流れると電路を遮断する電流ヒューズ１３Ｄで構成すると、全ての白熱電球および略全ての電球形蛍光ランプが装着された場合に電路を遮断することができ、ＬＥＤランプ専用の照明器具を構成することも可能になる。
【００３１】
なお、本実施形態において、電路Ｒを遮断する遮断部材として、電流ヒューズを用いたが、温度を検知して電路を遮断する温度ヒューズであってもよい。この場合、器具本体１１の温度、例えば、電線ｗ１、ｗ２等が集中する端子台１４近辺の温度を検知する温度ヒューズを、器具本体１１に、取付状態において露出しない位置に設けることによって構成する。使用する温度ヒューズの設定温度は、白熱電球を装着した場合、または電球形蛍光ランプを装着した場合における、例えば端子台近辺の温度を予め求めることによって設定することが可能になる。
【００３２】
以上から、本実施形態においては、電路Ｒに０．３Ａの電流が流れると電路を遮断する電流ヒューズ１３Ａを用いて構成した。換言すれば、白熱電球Ｌ２より消費電力の少ないＥ形口金Ｃ１を備えた電球形蛍光ランプＬ１を光源とし、白熱電球Ｌ２の誤使用を防止することが可能な照明器具１０を構成した。
【００３３】
次に、上記のように構成された照明器具の作用を説明する。図１（ｂ）に示すように、照明器具１０は、屋内配線に電線ｗ１を接続した状態で、部屋の壁面Ｘにサポート１１ａ１を取り付け、このサポートにフランジ１１ａ２を取り付けることによって、ベース体１１ａが壁面Ｘに設置される。次に、ベース体１１ａの表面側に露出しているソケット１２に対し、電球形蛍光ランプＬ１のＥ２６形口金Ｃ１をねじ込んで装着し、ベース体１１ａに電球形蛍光ランプＬ１を囲むようにして本体カバー１１ｂをネジによって取り付ける。この際本体カバー１１ｂの開口１１ｂ１、１１ｂ１が上下方向に位置するようにして取り付ける。
【００３４】
そして、別途設置された壁面のスイッチをＯＮし、電源を投入することにより、上下面の開口１１ｂ１、１１ｂ１から部屋の壁面Ｘの上下方向に向かって蛍光ランプの光が照射された間接照明を行うことができる。
【００３５】
この際、例えば、長期の使用にわたり電球形蛍光ランプＬ１の交換が必要となった場合に、使用者が装着されていた電球形蛍光ランプＬ１と同様のＥ２６形口金Ｃ１を有する安価な４０Ｗの白熱電球Ｌ２を購入してソケット１２装着すると、白熱電球の口金もＥ２６形であり、そのままソケットに装着することができてしまう。
【００３６】
しかし、４０Ｗの白熱電球Ｌ２が装着されると、電路Ｒに略０．４Ａの電流が流れ、電路Ｒに設けられた０．３Ａの電流ヒューズ１３が即時に動作して電路を遮断する。これにより、電球形蛍光ランプ専用の照明器具１０に対する白熱電球の誤使用が防止される。
【００３７】
以上のように、本実施形態の照明器具１０は、電球形蛍光ランプ専用の器具として構成することができ、発熱量の多い白熱電球の装着による諸問題を解消することが可能となる。これにより、発熱量の少ない電球形蛍光ランプやＬＥＤランプによる器具の小形化、さらには器具本体のプラスチック部品、電源電線や端子台等の構成部品における電流容量や熱的グレードを下げる仕様にすることが可能となり、コスト的にも有利な照明器具を提供することが可能になる。
【００３８】
以上、本実施形態において、遮断部材１３を器具本体１１に設ける位置は、器具本体１１の裏面側、フランジ１１ａ２の裏面側、ソケット１２内、コネクタがある場合には、コネクタ内等の取付状態において露出しない位置であってもよい。さらに、器具内蔵のセンサ部品がある場合には、センサに内蔵してもよい。
【００３９】
また、図５に示すように、器具本体１１のベース体１１ａに対してＬ字アーム１１ｃによってグローブ１１ｄを取り付けた照明器具１０´においては、ソケット１２と分離されたベース体１１ａ内に遮断部材１３を設けるように構成する。この構成によれば、ランプ交換でグローブ１１ｄを取り外した場合でも、遮断部材１３が設けられたベース体１１ａは、ソケット１２から完全に分離した位置に存在することから、遮断部材１３は、より確実に目視できず、取付状態において露出しない位置に構成することが可能になる。また、ランプからも分離されているので、遮断部材１３がランプ温度の影響を受けることを完全に防ぐことが可能になる。
【００４０】
また、本実施形態において、照明器具１０は、天井直付形、吊下形、壁面取付形、さらには天井埋込形等が許容され、器具本体に制光体としてグローブ、セード、反射体などが取付けられるものであっても、光源となるランプが露出するものであってもよい。また、器具本体に１個のランプを取付けたものに限らず、複数個が配設されるものであってもよい。さらに、オフィス等、施設・業務用の大形の照明器具などを構成してもよい。
【００４１】
なお、本実施形態の変形例を示す図５において、図１〜図４と同一部分に同一の符合を付し、詳細な説明は省略した。以上、本発明の好適な実施形態を説明したが、本発明は上述の実施形態に限定されることなく、本発明の要旨を逸脱しない範囲内において、種々の設計変更を行うことができる。
【符号の説明】
【００４２】
１０  照明器具
１１  器具本体
１２  ソケット
１３  遮断部材
Ｃ１  Ｅ形口金
Ｌ１  電球形蛍光ランプ
Ｌ２  白熱電球
【図１】
2013030290.tif 000003
【図２】
2013030290.tif 000004
【図３】
2013030290.tif 000005
【図４】
2013030290.tif 000006
【図５】
2013030290.tif 000007